(57)【要約】【課題】手作業による文鎮式の布押さえ重石の取り扱い作業を皆無にし、アイロン掛テーブル上でのアイロン掛作業を迅速安全確実に行わししめるアイロン掛テーブルを提供する。【解決手段】アイロン掛けテーブルの一側に支持スタンドを設け、支持スタンドに昇降シリンダー機構と昇降ガイドシャフトを縦置き設置すると共に、昇降ガイドシャフトにアイロン掛けテーブルの上面と平行にした布押さえクランプバーを昇降可能に接続支持し、昇降シリンダー機構に布押さえクランプバーを昇降可能に接続支持したことを特徴とするアイロン掛テーブル。【選択図】        図２
0003145242.tif 000002
【実用新案登録請求の範囲】
【請求項１】
アイロン掛けテーブルのテーブル本体100の一側に支持スタンド103、203を設け、支持スタンドに昇降シリンダー機構110,210と昇降ガイドシャフト120、220を縦置き設置すると共に、昇降ガイドシャフトにテーブル本体100の上面と平行にした布押さえクランプバー140を昇降可能に接続支持し、昇降シリンダー機構110、210に布押さえクランプバーを昇降可能に接続支持したことを特徴とするアイロン掛テーブル。
【請求項２】
昇降シリンダー機構110の昇降ピストン112を磁性体にしこれに間接接触する永久磁石131を介して布押さえクランプバー140を昇降可能に接続支持したことを特徴とする請求項１に記載のアイロン掛テーブル。
【請求項３】
昇降シリンダー機構210の昇降ピストンロッド212の下端に布押さえクランプバー140を昇降可能に接続支持したことを特徴とする請求項１に記載のアイロン掛テーブル。
【考案の詳細な説明】
【技術分野】
【０００１】
本考案は、主に平布をアイロン掛けする際に平布の端部を押さえる機構を付設したてアイロン掛テーブルに関するものである。
【背景技術】
【０００２】
従来のアイロン掛テーブルにおける平布の端部を押さえる機構は、これといって開発されたものはなく、一般に平坦なテーブルの上に、文鎮式の布押さえ重石を単数又は必要に応じて多数載せるものであった。
【０００３】
平布のアイロンを掛けは、アイロン掛テーブルの上に平布を広げ、利き手と反対側の平布端部に該重石を載せて行うが、平布のアイロン掛け方向の変更する都度、一旦この重石をテーブル脇に置いて待機させるなどの煩雑で労力のいる作業を伴い、また重石の取り扱い中にテーブル下に落下するなどの安全上の問題もありその改善が強く要求されていた。
【考案の開示】
【考案が解決しようとする課題】
【０００４】
本考案は、前記要求を満足するアイロン掛テーブルを提供することにある。
即ち、手作業による文鎮式の布押さえ重石の取り扱い作業を皆無にし、アイロン掛テーブル上でのアイロン掛作業を迅速安全確実に行わししめるアイロン掛テーブルを提供するものである。
【課題を解決するための手段】
【０００５】
上記課題を満足させる本考案の特徴とするところは、次の(1)〜(3)の通りである。
(1)、アイロン掛けテーブルのテーブル本体100の一側に支持スタンド103、203を設け、支持スタンドに昇降シリンダー機構110,210と昇降ガイドシャフト120、220を縦置き設置すると共に、昇降ガイドシャフトにテーブル本体100の上面と平行にした布押さえクランプバー140を昇降可能に接続支持し、昇降シリンダー機構110、210に布押さえクランプバーを昇降可能に接続支持したことを特徴とするアイロン掛テーブル。
(2)、昇降シリンダー機構110の昇降ピストン112を磁性体にし、これに間接接触する永久磁石131を介して布押さえクランプバー140を昇降可能に接続支持したことを特徴とする前記(1)に記載のアイロン掛テーブル。
又は昇降シリンダー機構110の昇降ピストン112を永久磁石にし、これに間接接触する磁性体を介して布押さえクランプバー140を昇降可能に接続支持してもよい。
(3)、昇降シリンダー機構210の昇降ピストンロッド212の下端に布押さえクランプバー140を昇降可能に接続支持したことを特徴とする前記(1)に記載のアイロン掛テーブル。
【考案の効果】
【０００６】
本考案は、前記構成により、文鎮式の布押さえ重石を不要とし、特に平布のアイロン掛をテーブル上で迅速にしかも安全確実に行わしめアイロン掛作業の高効率化を有利に実現させたものである。
【考案を実施するための最良の形態】
【０００７】
本考案を実施するための最良の形態は、次に紹介する実施例１及び実施例２により詳細に説明する。
【実施例１】
【０００８】
図１〜図３に本考案の実施例１を紹介する。
図１は本考案の実施例１の正面説明図である。図２は図１の要部縦断面であり、(1)は図１の矢視A-Aからの側面説明図、(2)は図１の矢視B-Bからの側縦断面説明図、(3)は図１の矢視C-Cからの側縦断面説明図である。図３は図２(1)の矢視D-Dからの横断面説明図である。
実施例１のアイロン掛けテーブルは、テーブル本体100を有し、テーブル本体100の一側に一対の横梁101を装着し、横梁101の先端間に支持梁102を渡して固定し、この支持梁102の中央部に支持スタンド103を立設し、支持スタンド103に、エアー式の昇降シリンダー機構110と昇降ガイドシャフト120を縦置き設置すると共に、昇降ガイドシャフト120と昇降シリンダー機構110のシリンダー本体111に昇降ガイド本体130を昇降可能に装着し、昇降ガイド本体130の張り出しアーム132にテーブル本体100の上面と平行にした布押さえクランプバー140を接続支持したものである。
そして、エアー式の昇降シリンダー機構110は、磁石式伝達機構を採用したものであり、ピストンガイドシャフト113に昇降可能に枢着した昇降ピストン112を磁性体にしこれに非磁性体のシリンダー本体111側面を介して吸着される永久磁石131を昇降ガイド本体130側に固定することで、昇降ピストン112の上下動に伴い、永久磁石131と共に昇降ガイド本体130を、昇降ガイドシャフト120とシリンダー本体111に沿って正確に上下させて布押さえクランプバー140を昇降平行シフト作動させ、テーブル本体100への平行シフト押さえを確実に行わしめるものである。シリンダー本体111の側面には永久磁石131と円滑に摺動接触する非磁性体の滑り板111Sを張設してある。
布押さえクランプバー140は、横断面ロ字型のチャンネルバー141とその下面にクッション性で耐摩耗性で摩擦係数の大きいフェルト142を貼設してなり、フェルト142の下面は凹凸を持たせてアイロン掛けする布への押さえ効果を増大させたものである。
【実施例２】
【０００９】
図４に本考案の実施例２を紹介する。
図４は、本考案の実施例２の側面説明図(1)と矢視E-Eからの正面説明図で(2)る。
実施例２のアイロン掛けテーブルは、テーブル本体100を有し、テーブル本体100の一側に一対の横梁101を装着し、横梁101の先端間に支持梁102を渡して固定し、この支持梁102の中央部に支持スタンド203を立設し、支持スタンド203にテーブル上への張り出し梁204を設け、この張り出し梁204に支持枠体205を立設し、支持枠体205に、エアー式の昇降シリンダー機構210のシリンダー211と二重シャフト伸縮式の昇降ガイドシャフト220を縦置き設置すると共に、昇降ガイドシャフト220と、シリンダー211の昇降ピストンロッド212の各下端部に、保持体230を介してテーブル本体100の上面と平行にした布押さえクランプバー140を接続支持したものである。
布押さえクランプバー140は、昇降シリンダー機構210の昇降ピストンロッド211の上下動作により昇降ガイドシャフト220と昇降ピストンロッド211に支持され正確に昇降平行シフト作動し、テーブル本体100への平行シフト押さえを確実に行わしめるものである。  
布押さえクランプバー140は、前例同様に、横断面ロ字型のチャンネルバー141とその下面にクッション性で耐摩耗性で摩擦係数の大きいフェルト142を貼設してなり、フェルト142の下面は凹凸を持たせてアイロン掛けする布への押さえ効果を増大させたものである。
【産業上の利用可能性】
【００１０】
本考案のアイロン掛をテーブルは、上述のようにシンプルな構成であり、しかも文鎮式の布押さえ重石を不要とし、特に平布のアイロン掛をテーブル上で迅速安全確実に行わししめアイロン掛作業の高効率化を有利に実現させたものであり、縫製産業界に広く活用され貢献するところ多大なものがある。
【図面の簡単な説明】
【００１１】
【図１】本考案の実施例１の正面説明図である。
【図２】図１の要部縦断面であり、(1)は図１の矢視A-Aからの側面説明図、(2)は図１の矢視B-Bからの側縦断面説明図、(3)は図１の矢視C-Cからの側縦断面説明図である。
【図３】図２(1)の矢視D-Dからの横断面説明図である。
【図４】本考案の実施例２の側面説明図(1)と矢視E-Eからの正面説明図で(2)る。
【符号の説明】
【００１２】
100        テーブル本体
103,203    支持スタンド
110,210    昇降シリンダー機構
120,220    昇降ガイドシャフト
130        昇降ガイド本体
131        永久磁石
140        布押さえクランプバー
【図１】
0003145242.tif 000003
【図２】
0003145242.tif 000004
【図３】
0003145242.tif 000005
【図４】
0003145242.tif 000006